(57)【要約】【課題】監視信号に基づく報知動作が不要に行われることを抑制することのできる電子機器を提供する。【解決手段】テレビ受信装置１０は、リモコン装置５０と、リモコン信号の受信に基づいて動作するテレビ受信機２０とを備える。テレビ受信機２０は、本体側操作部２４と、リモコン装置５０に報知動作を行わせるための報知信号を本体側操作部２４が操作されることに基づいて送信するとともに、リモコン装置５０に報知動作を行わせるための監視信号を自動的に送信する信号送信部４０とを備えている。リモコン装置５０は、報知信号及び監視信号を受信する信号受信部７０と、信号受信部７０が報知信号を受信すること及び信号受信部７０による監視信号の受信がなされない状態が所定時間以上にわたり継続されることの少なくとも一方に基づいて、報知動作を行う報知部８０とを備えている。そして、信号送信部４０は、報知信号及び監視信号を電波により送信する。【選択図】図１
2010028732.tif 000002
【特許請求の範囲】
【請求項１】
遠隔操作のための操作信号を送信する操作装置と、前記操作信号の受信に基づいて動作する本体装置とを備える電子機器であって、
前記本体装置は、前記操作装置の探索のために操作される本体入力部と、前記操作装置に所定の報知動作を行わせるための報知信号を前記本体入力部が操作されることに基づいて送信するとともに、前記操作装置に所定の報知動作を行わせるための監視信号を自動的に送信する本体送信部とを備え、
前記操作装置は、前記報知信号及び前記監視信号を受信する操作受信部と、この操作受信部が前記報知信号を受信すること及び前記操作受信部による前記監視信号の受信がなされない状態が所定時間以上にわたり継続されることの少なくとも一方に基づいて、所定の報知動作を行う操作報知部とを備え、
前記本体送信部は、前記報知信号及び前記監視信号を電波により送信する
ことを特徴とする電子機器。
【請求項２】
遠隔操作のための操作信号を送信する操作装置と、前記操作信号の受信に基づいて動作する本体装置とを備える電子機器であって、
前記本体装置は、前記操作装置の探索のために操作される本体入力部と、前記操作装置に所定の報知動作を行わせるための報知信号を前記本体入力部が操作されることに基づいて送信するとともに、前記操作装置に所定の報知動作を行わせるための監視信号を自動的に送信する本体送信部とを備え、
前記操作装置は、前記報知信号及び前記監視信号を受信する操作受信部と、所定の報知動作を行う操作報知部とを備え、
前記本体送信部は、前記報知信号及び前記監視信号を電波により送信し、
前記操作報知部は、前記操作受信部が前記報知信号を受信すること及び前記操作受信部が受信した監視信号の電波の強度が所定強度以下であることの少なくとも一方に基づいて、所定の報知動作を行う
ことを特徴とする電子機器。
【請求項３】
請求項１または請求項２に記載の電子機器において、
前記本体送信部は、前記報知信号及び前記監視信号を互いに異なる周波数の電波により送信し、
前記操作受信部の受信することのできる電波の周波数は、前記操作装置に設けられた受信制御部により所定の周期毎に切り替えられる
ことを特徴とする電子機器。
【請求項４】
請求項１または請求項２に記載の電子機器において、
前記本体送信部は、前記報知信号及び前記監視信号を、同じ周波数の電波により送信するとともに、前記監視信号を間欠的に送信するものであり、前記報知信号を送信する要求があるときには前記監視信号の送信がなされない期間にこれを行う
ことを特徴とする電子機器。
【発明の詳細な説明】
【技術分野】
【０００１】
本発明は、遠隔操作のための操作信号を送信する操作装置と、操作信号の受信に基づいて動作する本体装置とを備え、本体装置からの信号に基づく操作装置の報知動作を通じて操作装置の位置を報知する電子機器に関する。
【背景技術】
【０００２】
上記電子機器としては、映像及び音声を出力するテレビ受信機と、これを遠隔操作するリモコン装置とを備えたテレビ受信装置が知られている。このテレビ受信装置においては、リモコン装置に設けられたボタン等の操作内容に対応して、テレビ受信機を遠隔操作するための信号（以下、「リモコン信号」）をリモコン装置からテレビ受信機に送信することにより、テレビ受信機を遠隔操作することができる。
【０００３】
また、ユーザがリモコン装置を見失った場合には、リモコン装置の位置を探索するためのロケータ機能を通じてリモコン装置の位置をユーザに報知することもできる。
ここで、上記ロケータ機能を実現するためにテレビ受信装置は具体的には次のように構成されている。
【０００４】
すなわち、本体装置は、リモコン装置の位置の探索のためにユーザにより操作される本体側操作部と、リモコン装置の位置をユーザに報知するための報知動作の実行をリモコン装置に要求する信号（以下、「報知信号」）を送信する信号送信部とを備えて構成されている。また、リモコン装置は、本体装置から送信された報知信号を受信する信号受信部と、音声等を通じてリモコン装置の位置をユーザに報知する報知部とを備えて構成されている。
【０００５】
そして、リモコン装置の位置を探索するためにユーザにより本体側操作部が操作されたときには、これに基づいて本体装置の信号送信部から報知信号が送信される。その後、リモコン装置の信号受信部がこの報知信号を受信すると、報知部はこれを受けてリモコン装置の位置をユーザに報知するための報知動作を開始する。
【０００６】
さて、上記テレビ受信装置によれば、以上のようにリモコン装置の位置を報知することはできるものの、リモコン装置が報知信号を受信できない位置にある場合には、リモコン装置の位置をユーザに報知することができなかった。
【０００７】
この点に鑑み、特許文献１にはさらに次の構成を備えることが提案されている。
即ち、特許文献１に記載のテレビ受信装置では、テレビ受信機からの報知信号を赤外線として送信するとともに、報知信号とは異なる別の信号（以下、「監視信号」）を赤外線信号として所定時間毎に繰り返し送信する。そして、リモコン装置が監視信号を一定期間内に受信できなかったときにも、リモコン装置に報知動作を行わせることにより、同装置が監視信号を受信することのできない位置、換言すれば報知信号を受信することができない位置にあるとき、監視信号を受信していないことに基づいて報知動作を行うようにしている。
【特許文献１】特開２００８−１３１５０４号公報
【発明の開示】
【発明が解決しようとする課題】
【０００８】
しかしながら、上記特許文献１の装置によれば、リモコン装置自体はユーザから容易に確認することのできる位置に在るにもかかわらず、テレビ受信機とリモコン装置との間に監視信号としての赤外線信号の送信を阻害する障害物が存在しているときには、リモコン装置が監視信号を受信しないことに基づいて報知動作を開始するようになる。この場合、ユーザがリモコン装置の所在を把握していたとすると、ユーザにとって不要であるにもかかわらず報知動作を行うことになる。
【０００９】
本発明は、こうした実情に鑑みてなされたものであり、その目的は、監視信号に基づく報知動作が不要に行われることを抑制することのできる電子機器を提供することにある。
【課題を解決するための手段】
【００１０】
（１）請求項１に記載の発明は、遠隔操作のための操作信号を送信する操作装置と、前記操作信号の受信に基づいて動作する本体装置とを備える電子機器であって、前記本体装置は、前記操作装置の探索のために操作される本体入力部と、前記操作装置に所定の報知動作を行わせるための報知信号を前記本体入力部が操作されることに基づいて送信するとともに、前記操作装置に所定の報知動作を行わせるための監視信号を自動的に送信する本体送信部とを備え、前記操作装置は、前記報知信号及び前記監視信号を受信する操作受信部と、この操作受信部が前記報知信号を受信すること及び前記操作受信部による前記監視信号の受信がなされない状態が所定時間以上にわたり継続されることの少なくとも一方に基づいて、所定の報知動作を行う操作報知部とを備え、前記本体送信部は、前記報知信号及び前記監視信号を電波により送信することを要旨とする。
【００１１】
上記発明によれば、報知信号及び監視信号を赤外線により送信する場合に比し、これらの信号を操作装置へ確実に伝達することができる。これにより、本体装置と操作装置との間に障害物が在る場合に、監視信号の送信がこの障害物により阻害されて操作装置に受信されない頻度が低減されるため、監視信号に基づく報知動作が不要に行われることを抑制することができるようになる。
【００１２】
（２）請求項２に記載の発明は、遠隔操作のための操作信号を送信する操作装置と、前記操作信号の受信に基づいて動作する本体装置とを備える電子機器であって、前記本体装置は、前記操作装置の探索のために操作される本体入力部と、前記操作装置に所定の報知動作を行わせるための報知信号を前記本体入力部が操作されることに基づいて送信するとともに、前記操作装置に所定の報知動作を行わせるための監視信号を自動的に送信する本体送信部とを備え、前記操作装置は、前記報知信号及び前記監視信号を受信する操作受信部と、所定の報知動作を行う操作報知部とを備え、前記本体送信部は、前記報知信号及び前記監視信号を電波により送信し、前記操作報知部は、前記操作受信部が前記報知信号を受信すること及び前記操作受信部が受信した監視信号の電波の強度が所定強度以下であることの少なくとも一方に基づいて、所定の報知動作を行うことを要旨とする。
【００１３】
上記発明によれば、報知信号及び監視信号を赤外線により送信する場合に比し、これらの信号を操作装置へ確実に伝達することができる。これにより、本体装置と操作装置との間に障害物が在る場合に、監視信号の送信がこの障害物により阻害されて操作装置に受信されない頻度が低減されるため、監視信号に基づく報知動作が不要に行われることを抑制することができるようになる。また、監視信号を受信しているときであってもその強度が小さいときには、これをもって報知動作を行わせることも可能となる。
【００１４】
（３）請求項３に記載の発明は、請求項１または請求項２に記載の電子機器において、前記本体送信部は、前記報知信号及び前記監視信号を互いに異なる周波数の電波により送信し、前記操作受信部の受信することのできる電波の周波数は、前記操作装置に設けられた受信制御部により所定の周期毎に切り替えられることを要旨とする。
【００１５】
上記発明によれば、受信制御部による電波の周波数が切り替えにより操作受信部が報知信号及び監視信号の双方を受信することができるようにしているため、例えば、１つのアンテナや無線受信モジュールを操作受信部として用いることができるようになる。
【００１６】
（４）請求項４に記載の発明は、請求項１または請求項２に記載の電子機器において、前記本体送信部は、前記報知信号及び前記監視信号を、同じ周波数の電波により送信するとともに、前記監視信号を間欠的に送信するものであり、前記報知信号を送信する要求があるときには前記監視信号の送信がなされない期間にこれを行うことを要旨とする。
【００１７】
上記発明によれば、同じ周波数の電波により報知信号及び監視信号を送信することができるようにしているため、例えば、１つのアンテナや無線送信モジュールを本体送信部として用いることができるようになる。また、これに伴い、操作受信部としても１つのアンテナや無線受信モジュールによる構成が可能となる、当該電子機器の構成についてその一層の簡略化を図ることができるようになる。
【発明の効果】
【００１８】
本発明によれば、監視信号に基づく報知動作が不要に行われることを抑制することができる。
【発明を実施するための最良の形態】
【００１９】
（第１の実施形態）
図１〜図５を参照して、本発明の電子機器をテレビ受信装置として具体化した第１の実施形態について説明する。なお図１は、同受信装置の構成をブロック図として示したものである。
【００２０】
図１に示されるように、テレビ受信装置１０は、放送信号を受信して映像及び音声を出力するテレビ受信機２０と、テレビ受信機２０を遠隔操作するための操作信号であるリモコン信号を送信するリモコン装置５０とにより構成されている。
【００２１】
テレビ受信機２０は、地上デジタルテレビ放送を視聴するためのデジタルテレビ受信機であって、チューナー２１、信号処理部２２、出力部２３、本体側操作部２４、リモコン信号受信部２５、本体側制御部３０、及び信号送信部４０を備えている。以下、これら各部の具体的な構成について説明する。
【００２２】
チューナー２１は、本体側制御部３０によって出力された制御信号に基づいて、外部に設けられたアンテナ９０によって受信された複数のチャンネルの放送信号から、所望のチャンネルの放送信号のみを抽出する。また、所望のチャンネルの放送信号を復調しやすい周波数の信号に変換して、Ａ／Ｄ変換を行う。即ち、アンテナ９０により受信された放送信号は、チューナー２１によってデジタル信号として信号処理部２２に出力される。
【００２３】
信号処理部２２は、チューナー２１によって出力されたデジタル信号に対して所定の信号処理等を施す集積回路により構成されている。例えば、信号処理部２２は、伝送路符号化されているデジタル信号からＭＰＥＧ−２  ＴＳ（Transport Stream）形式のデータを抽出する伝送路復号化処理、スクランブルを解除するデスクランブル処理、及びＭＰＥＧ−２  Ｓｙｓｔｅｍｓに準拠して多重化されているデータから映像データや音声データを分離する多重分離処理を施す。また、ＭＰＥＧ−２  Ｖｉｄｅｏ方式により圧縮符号化されている映像データの復号化処理、ＭＰＥＧ−２  ＡＡＣ方式により圧縮符号化されている音声データの復号化処理、及び本体側制御部３０によって出力されたＯＳＤ（On Screen Display）信号に基づいて映像にＯＳＤ画像を合成するためのＯＳＤ処理を施す。上述の処理を施すことにより得られたデータのうち、映像データは信号処理部２２によって映像信号として出力部２３に出力されるとともに、音声データは信号処理部２２によって音声信号として出力部２３に出力される。
【００２４】
信号処理部２２はさらに、テレビ受信機２０またはリモコン装置５０のボタンの操作に基づいて本体側制御部３０によって出力された制御信号を受けて、出力される映像の大きさ、即ち表示される映像サイズを調整する処理や、出力される音声の大きさ、即ち再生される音量を調整する処理を行う。
【００２５】
出力部２３は、信号処理部２２によって出力された映像信号に基づいて映像を表示するディスプレイと、信号処理部２２によって出力された音声信号に基づいて音声を再生するスピーカとからなる。そして、この出力部２３を通じて映像及び音声が出力されることにより、即ち映像の表示及び音声の再生がなされることにより、ユーザは放送コンテンツを視聴することができる。
【００２６】
本体側操作部２４は、リモコン装置５０に報知動作を行わせるための探索用ボタン、即ちリモコン装置５０の所在が判らなくなった場合に、リモコン装置５０の探索のためにユーザにより操作されるボタンである。本体側操作部２４が操作された場合、即ち、探索用ボタンが押下された場合、報知信号を送信するための信号が本体側制御部３０に伝達される。
【００２７】
リモコン信号受信部２５は、例えば、受光素子である赤外線受光用のフォトダイオード、増幅回路、復調回路、及び波形整形回路から構成される受光モジュールである。そして、リモコン装置５０から送信された赤外線パルスをフォトダイオードが受光することにより、リモコン信号受信部２５はリモコン信号を受信する。受信されたリモコン信号は、増幅回路、復調回路、及び波形整形回路を介して、リモコン信号受信部２５から本体側制御部３０に伝達される。
【００２８】
本体側制御部３０は、リモコン信号受信部２５によって受信したリモコン信号を検出するリモコン信号検出部３１と、出力部２３による映像及び音声の出力を制御する出力制御部３２と、信号送信部４０を制御する無線送信制御部３３とを備えている。
【００２９】
出力制御部３２は、リモコン信号検出部３１によって検出されたリモコン信号に基づいて、出力部２３の出力を制御するための制御信号を、チューナー２１や信号処理部２２に出力する。即ち、本体側制御部３０は、リモコン信号受信部２５によりリモコン信号が受信された場合に、出力制御部３２から制御信号を出力することにより、出力部２３の出力を制御する。例えば、音量を調整するためのリモコン信号をリモコン信号受信部２５が受信した場合、本体側制御部３０は、音声の大きさを変更するための制御信号を信号処理部２２に出力することにより、出力部２３において出力される音声を制御する。また、チャンネルを変更するためのリモコン信号をリモコン信号受信部２５が受信した場合、本体側制御部３０は、複数のチャンネルの放送信号から抽出される放送信号を変更するための制御信号をチューナー２１に出力することにより、出力部２３において出力される映像及び音声を制御する。
【００３０】
出力制御部３２はさらに、本体側操作部２４の操作にともない報知信号を送信するための信号が伝達されたことに基づいて、報知信号の電波を送信中であることを示すＯＳＤ画像を出力部２３のディスプレイに表示するためのＯＳＤ信号を信号処理部２２に出力する。即ち、本体側制御部３０は、報知信号を送信中であることを示すＯＳＤ画像を出力部２３に表示させる。
【００３１】
無線送信制御部３３は、本体側操作部２４の操作にともない報知信号を送信するための信号が伝達されたことに基づいて、報知信号を送信するための制御信号を信号送信部４０に出力する。また、報知信号とは異なる信号である監視信号を送信するための制御信号を信号送信部４０に所定の周期毎に出力する。即ち、本体側制御部３０は、本体側操作部２４が操作された場合に、報知信号を送信するように信号送信部４０を制御し、また、ユーザの操作によることなく自動的に監視信号を送信するように信号送信部４０を制御する。
【００３２】
なお、本体側制御部３０は、テレビ受信機２０内に別途設けられたメモリに記憶されたプログラムに基づいて演算処理を行うマイコンやＣＰＵにより構成することができる。即ち、リモコン信号検出部３１及び出力制御部３２及び無線送信制御部３３を１つのマイコンまたはＣＰＵにより構成することができる。このように本体側制御部３０を構成した場合は、本体側制御部３０を構成する各部３１〜３３がそれぞれ別個の集積回路からなる場合に比し、テレビ受信機２０の構成を簡略化することができる。
【００３３】
信号送信部４０は、電波送信用の第１アンテナ４１と、これに接続される第１無線送信モジュール４２と、電波送信用の第２アンテナ４３と、これに接続される第２無線送信モジュール４４とにより構成されている。また、第１アンテナ４１と第２アンテナ４３として同じ構造のものが設けられている。
【００３４】
そして、無線送信制御部３３から出力された報知信号を送信するための制御信号が伝達されたことに基づいて、第１無線送信モジュール４２により報知信号を生成し、この報知信号を変調したうえで第１アンテナ４１により電波として送信する。また、無線送信制御部３３から出力された監視信号を送信するため制御信号が伝達されたことに基づいて、第２無線送信モジュール４４により監視信号を生成し、この監視信号を変調したうえで第２アンテナ４３により電波として送信する。また、第１アンテナ４１による電波出力と第２アンテナ４３による電波出力として、同じ電波出力を用いて報知信号及び監視信号のそれぞれの送信を行う。信号送信部４０は、このようにして報知信号及び監視信号をテレビ受信機２０からリモコン装置５０に電波として送信する。
【００３５】
図２を参照して、信号送信部４０による報知信号及び監視信号の送信態様について説明する。なお同図において、（ａ）は報知信号の送信態様を、また（ｂ）は監視信号の送信態様をそれぞれ示す。
【００３６】
まず報知信号について説明する。テレビ受信機２０の省電力化の観点から、報知信号は図２（ａ）に示されるように所定の周期毎に、即ち間欠的に送信されることが好ましい。
そこで、信号送信部４０は、例えば１３０ミリ秒の報知信号を送信する期間（以下、「報知信号送信期間Ｔ１」）と、５０ミリ秒の報知信号の送信を停止する期間（以下、「報知信号停止期間Ｔ２」）とを交互に繰り返し、これにより報知信号を間欠的に送信する。また、電波の周波数としては例えば３２０ＭＨｚが用いられる。
【００３７】
次に監視信号について説明する。テレビ受信機２０の省電力化の観点から、監視信号も図２（ｂ）に示されるように所定の周期毎に、即ち間欠的に送信されることが好ましい。
そこで、信号送信部４０は、例えば１０ミリ秒の監視信号を送信する期間（以下、「監視信号送信期間Ｔ３」）と、２０ミリ秒の監視信号の送信を停止する期間（以下、「監視信号停止期間Ｔ４」）とを交互に繰り返し、これにより監視信号を間欠的に送信する。また、電波の周波数としては例えば３１５ＭＨｚが用いられる。
【００３８】
図１及び図３を併せて参照し、リモコン装置５０の構成について説明する。
図１に示されるように、リモコン装置５０は、テレビ受信機２０を遠隔操作する無線遠隔操作機器としての機能、即ちテレビ受信機２０を遠隔操作するためのリモコン信号を送信する機能を備えている。また、電源としての電池をはじめとして、リモコン側操作部６０、信号受信部７０、無線受信制御部５１、計時部５２、リモコン側制御部５３、リモコン信号送信部５４、及び報知部８０を備えている。
【００３９】
図３に示されるように、リモコン側操作部６０は、テレビ受信機２０を遠隔操作するためのボタンにより構成されている。具体的には、テレビ受信機２０の電源のオンとオフを切り替えるための電源ボタン６１と、チャンネルを変更するための数字ボタン６２及びチャンネルボタン６３と、音量を調整するための音量ボタン６４とにより構成されている。各ボタン６１〜６４のいずれかが押下された場合、即ち、リモコン側操作部６０が操作された場合、押下されたボタンに応じた信号がリモコン側制御部５３に伝達される。
【００４０】
図１に示す信号受信部７０は、電波受信用のアンテナ７１と、アンテナ７１に接続された無線受信モジュール７２とにより構成されている。そして、アンテナ７１がテレビ受信機２０からリモコン装置５０に送信された電波を受信し、この電波を無線受信モジュール７２により復調することで、信号受信部７０は報知信号及び監視信号を受信する。この受信された報知信号及び監視信号は、信号受信部７０からリモコン側制御部５３に伝達される。
【００４１】
無線受信モジュール７２は、無線受信制御部５１によって出力された制御信号に基づいて、復調の対象となる電波の周波数を所定の周期毎に切り替える。これにより、信号受信部７０は、周波数の異なる複数種類の電波を受信することができる。具体的には、無線受信モジュール７２は、例えば１００ミリ秒毎に復調の対象とする電波の周波数を切り替えることで、信号受信部７０は、３２０ＭＨｚの電波により送信された報知信号及び３１５ＭＨｚの電波により送信された監視信号を受信することが可能となる。
【００４２】
無線受信制御部５１は、信号受信部７０により受信可能な電波の周波数を切り替えるために信号受信部７０を制御する集積回路であって、周波数を切り替えるための制御信号を信号受信部７０に出力する。なお、リモコン装置５０の構成を簡略化する観点から、無線受信制御部５１を構成する集積回路は、リモコン側制御部５３を構成するマイコンに含まれていることが好ましい。
【００４３】
計時部５２は、信号受信部７０による監視信号の受信が所定時間内になされたか否かを確認するためのものであって、一定周期毎に繰り返し時間の計測を行うタイマカウンタである。具体的には、タイマを作動させて所定時間後にタイマを停止させることを繰り返し行うことにより一定周期毎に繰り返し時間の計測をし、さらに、タイマを作動させてからタイマを停止させるまでの時間にリモコン側制御部５３に伝達された監視信号の回数をカウンタで数える。このようにして、計時部５２は、一定周期毎に繰り返し計測される所定時間内にリモコン側制御部５３に伝達された監視信号の回数を数える。なお、リモコン装置５０の構成を簡略化する観点から、計時部５２を構成するタイマカウンタは、リモコン側制御部５３を構成するマイコンに内蔵されていることが好ましい。
【００４４】
リモコン側制御部５３は、例えば、ＣＰＵコアやメモリを内蔵したマイコンであって、押下されたボタンに応じた信号が伝達されたことに基づいて、この信号に対応したリモコン信号を生成し、リモコン信号送信部５４に出力する。即ち、数字ボタン６２又はチャンネルボタン６３が押下された場合は、チャンネルを変更するためのリモコン信号を生成し、音量ボタン６４が押下された場合は、音量を調整するためのリモコン信号を生成する。リモコン側制御部５３によって生成されたリモコン信号は、リモコン信号送信部５４に出力される。
【００４５】
リモコン側制御部５３はさらに、信号受信部７０から報知信号が伝達されたことに基づいて、即ち信号受信部７０がテレビ受信機２０からの報知信号を受信したことに基づいて、報知部８０を動作させるための制御信号を報知部８０に出力する。また、タイマの作動を開始してから所定時間（例えば、１００ミリ秒）内に信号受信部７０から監視信号が伝達されないことに基づいて、即ち信号受信部７０がテレビ受信機２０からの監視信号を受信しない状態が所定時間以上にわたり継続されたことに基づいて、報知部８０を動作させるための制御信号を報知部８０に出力する。
【００４６】
リモコン信号送信部５４は、例えば、発光素子である赤外線発光用のＬＥＤ（Light Emitting Diode）等から構成される発光モジュールであって、ＬＥＤが発光することにより、リモコン側制御部５３によって生成されたリモコン信号を赤外線パルスで送信する。
【００４７】
報知部８０は、音源回路８１及びスピーカ８２により構成されている。そして、報知動作のための制御信号がリモコン側制御部５３に伝達されたことに基づいて、音源回路８１により音声信号を生成し、この信号をスピーカ８２に出力することにより、スピーカ８２を通じて音を発生させる。このようにして報知部８０による報知動作を通じてリモコン装置５０の位置をユーザに報知する。
【００４８】
以上にて詳細を説明したように、本実施形態のテレビ受信装置１０はロケータ機能を有するものであり、ユーザはリモコン装置５０を見失った際にこのロケータ機能を使用することにより、報知部８０による報知動作を頼りにリモコン装置５０を発見することができる。また、本実施形態のテレビ受信装置１０はリモコン装置５０の監視機能を有するものである。即ち、信号受信部７０による監視信号の受信がなされない状態が所定時間以上にわたり継続されることに基づいて報知部８０が報知動作を行う機能を有するものである。
【００４９】
図４を参照して、テレビ受信機２０からの報知信号に基づいてリモコン装置５０の報知動作が行われる際のこれら装置の動作について説明する。
まず、リモコン装置５０の所在が判らなくなった場合に、ユーザによりテレビ受信機２０に設けられた本体側操作部２４、即ち探索用ボタンが操作されて、報知信号を送信するための信号が本体側制御部３０に伝達される（ステップＳ１１）。
【００５０】
次いで、テレビ受信機２０が信号送信部４０により報知信号を送信する（ステップＳ１２）。即ち、本体側制御部３０の無線送信制御部３３が、報知信号を送信するための制御信号を信号送信部４０に出力することにより、信号送信部４０が報知信号を電波で送信する。
【００５１】
次いで、リモコン装置５０が信号受信部７０により報知信号を受信し（ステップＳ１３）、リモコン装置５０に設けられた報知部８０が、リモコン装置５０の位置をユーザに報知する（ステップＳ１４）。
【００５２】
図５を参照して、テレビ受信機２０からの監視信号に基づいてリモコン装置５０の報知動作が行われる際のこれら装置の動作について説明する。
まず、テレビ受信機２０が、信号送信部４０により監視信号を送信する（ステップＳ２１）。即ち、本体側制御部３０の無線送信制御部３３が、監視信号を送信するための制御信号を信号送信部４０に出力することにより、信号送信部４０が監視信号を電波として送信する。
【００５３】
次いで、リモコン装置５０が所定時間内に信号受信部７０により監視信号を受信したか否かを判断する（ステップＳ２２）。所定時間内に監視信号を受信したか否かの判断は、リモコン側制御部５３が計時部５２を用いて行う。具体的には、リモコン側制御部５３は、計時部５２により測定された所定時間内に信号受信部７０から監視信号が１回以上伝達された場合、即ち一定周期毎に繰り返し計測される所定時間内にリモコン側制御部５３に伝達された監視信号の回数が１回以上である場合は、信号受信部７０により監視信号を受信したと判断する。一方、所定時間内に、信号受信部７０から監視信号が伝達されなかった場合は、信号受信部７０により監視信号を受信しなかったと判断する。
【００５４】
そして、ステップＳ２２においてリモコン装置５０が監視信号を受信しなかったと判断した場合、報知部８０が報知動作を行うことにより、リモコン装置５０がテレビ受信機２０から送信される信号を受信できない位置に在ることを報知する（ステップＳ２３）。一方、ステップＳ２２においてリモコン装置５０が監視信号を受信したと判断した場合、報知部８０は報知動作を行わない（ステップＳ２４）。
【００５５】
本実施形態のテレビ受信装置１０によれば、以下の効果を奏することができる。
（１）信号送信部４０は、報知信号及び監視信号を電波により送信する。このため、電波は、赤外線に比し、空間的に広がり易い、即ち回析し易いため、報知信号及び監視信号を赤外線により送信する場合に比し、テレビ受信機２０から報知信号及び監視信号をリモコン装置５０に確実に伝達することができる。これにより、リモコン装置５０の所在が判るもののテレビ受信機２０とリモコン装置５０との間に障害物が在る場合に、監視信号の送信が障害物により阻害されてリモコン装置５０に受信されない頻度が低減されるため、監視信号に基づく報知動作が不要に行われることを抑制することができる。また、リモコン装置５０の所在が判らなくなった場合には、テレビ受信機２０からリモコン装置５０に報知信号が確実に伝達されることにより、リモコン装置５０を確実に発見することができる。
【００５６】
（２）信号送信部４０は、報知信号及び監視信号を互いに異なる周波数の電波により送信し、信号受信部７０の受信することのできる電波の周波数は、リモコン装置５０に設けられた無線受信制御部５１により所定の周期毎に切り替えられる。このため、１つのアンテナ７１や無線受信モジュール７２を信号受信部７０として用いることができる。即ち、アンテナ７１と無線受信モジュール７２を報知信号の受信と監視信号の受信とに兼用することができ、信号受信部７０の構成を簡略化することができる。
【００５７】
（第２の実施形態）
図６及び図７を参照して、本発明の電子機器をテレビ受信装置として具体化した第２の実施形態について説明する。図６は、第２の実施形態のテレビ受信装置の構成をブロック図として示したものである。なお、上記第１の実施形態と同様の部分については同一の符号を付して、その説明を省略する。
【００５８】
本実施形態においては、信号送信部４０は、１つの電波送信用のアンテナ４６と、これに接続される１つの無線送信モジュール４７とにより構成されている。無線送信制御部３３から出力された報知信号のための制御信号が伝達されたことに基づいて、無線送信モジュール４７により報知信号を生成し、この報知信号を変調したうえでアンテナ４６により電波として送信する。また、無線送信制御部３３から出力された監視信号のため制御信号が伝達されたことに基づいて、無線送信モジュール４７により監視信号を生成し、この監視信号を変調したうえでアンテナ４６により電波として送信する。このアンテナ４６による報知信号及び監視信号の送信は同じ電波出力で行われる。
【００５９】
信号送信部４０から送信される報知信号及び監視信号は、同じ周波数、例えば３１５ＭＨｚの電波により送信され、図７（ａ）に示されるように、所定の周期毎に、即ち、間欠的に監視信号が送信される。具体的には、例えば、１０ミリ秒の監視信号送信期間Ｔ３と、２０ミリ秒の監視信号停止期間Ｔ４とが、交互に繰り返されるように、監視信号が送信される。テレビ受信機２０から監視信号のみが送信されている場合においては、監視信号送信期間Ｔ３を５回繰り返すパターンを１つのブロックとして、２つのブロックの間には、例えば１２０ミリ秒のインターバル期間Ｔ５が設けられている。
【００６０】
そして、本体側操作部２４が操作されることに基づいて送信される報知信号は、図７（ｂ）に示されるように送信される。即ち、テレビ受信機２０から報知信号及び監視信号が送信されている場合においては、上述のインターバル期間Ｔ５に、例えば８０ミリ秒の報知信号送信期間Ｔ１が含まれている。従って、本体側操作部２４が操作されたとき、即ち、報知信号を送信する要求があるときには、信号送信部４０は、インターバル期間Ｔ５において報知信号を送信する。
【００６１】
また、信号受信部７０は、信号送信部４０により送信された報知信号または監視信号を所定の周期毎、即ち、間欠的に受信するように構成されている。具体的には、無線受信モジュール７２は、例えば３ミリ秒毎に、アンテナ７１により受信した電波を復調するように構成されている。
【００６２】
以上のように構成した場合、報知信号の電波と監視信号の電波は同じ周波数であるが、所定の周期毎に信号受信部７０が信号を連続で受信した回数に応じて、信号受信部７０が、報知信号及び監視信号のいずれを受信したかを判断することができる。この場合、計時部５２が一定周期毎に繰り返し計測される所定時間内にリモコン側制御部５３に伝達された信号の回数を数えることで、信号受信部７０が信号を連続で受信した回数を数える。
【００６３】
具体的には、１０ミリ秒の監視信号送信期間Ｔ３においては、３ミリ秒毎に信号を５回以上連続で受信することができないが、８０ミリ秒の報知信号送信期間Ｔ１においては、３ミリ秒毎に信号を少なくとも２６回連続で受信することができる。従って、所定の周期毎、例えば３ミリ秒毎に信号受信部７０が信号送信部４０により送信された信号を、所定回数以上、例えば１０回以上連続で受信した場合は、報知信号を受信したと判断することができ、このように報知信号を受信したと判断した場合は、報知部８０を動作させるための制御信号がリモコン側制御部５３から報知部８０に出力される。
【００６４】
本実施形態のテレビ受信装置１０によれば、第１の実施形態において記載した上記（１）の効果に加えて、以下の効果を奏することができる。
（３）信号送信部４０は、報知信号及び監視信号を、同じ周波数の電波により送信するとともに、監視信号を間欠的に送信するものであり、報知信号を送信する要求があるときには監視信号の送信がなされないインターバル期間Ｔ５に報知信号の送信を行う。このように同じ周波数の電波により報知信号及び監視信号を送信することができるため、１つのアンテナ４６や無線送信モジュール４７を信号送信部４０として用いることができる。即ち、アンテナ４６と無線送信モジュール４７を報知信号の送信と監視信号の送信とに兼用することができ、信号送信部４０の構成を簡略化することができる。また、信号受信部７０の受信することのできる周波数を切り替えるための無線受信制御部５１が不要となり、１つのアンテナ７１や無線受信モジュール７２を信号受信部７０として用いることができる。
【００６５】
（その他の実施形態）
なお、本発明の実施態様は上記実施形態にて例示したものに限られず、これを例えば以下に示すように変更して実施することもできる。
【００６６】
・上記第２の実施形態においては、監視信号を間欠的に送信するようにしたが、これに代えて監視信号を連続的に送信することもできる。この場合、報知信号を送信する要求があるときには監視信号の送信を停止し、報知信号を監視信号と同じ周波数の電波で送信することができる期間を確保する。
【００６７】
・上記第１の実施形態においても、監視信号を間欠的に送信するようにしたが、これに代えて監視信号を連続的に送信することもできる。即ち、監視信号は、自動的に信号送信部４０により送信されるものであれば上記実施形態に準じた態様をもって本発明を適用することはできる。
【００６８】
・上記各実施形態においては、報知信号を送信する要求があるときには報知信号を間欠的に、即ち複数回送信するようにしたが、報知信号を送信する要求があるときに報知信号を連続的に１回のみ送信することもできる。即ち、報知信号は、本体側操作部２４が操作されることに基づいて信号送信部４０により送信されるものであれば上記実施形態に準じた態様をもって本発明を適用することはできる。
【００６９】
・上記実施形態において、信号受信部７０が報知信号を受信すること、及び信号受信部７０による監視信号の受信がなされない状態が所定時間以上にわたり継続されることの少なくとも一方に基づいて、報知部８０による報知動作を行うようにしたが、報知動作を行うための条件を次のように変更することもできる。
【００７０】
即ち、信号受信部７０が報知信号を受信すること、及び信号受信部７０が受信した監視信号の電波の強度が所定の強度以下であることの一方に基づいて、報知動作を行うこともできる。具体的には、受信した監視信号の電波の強度と予め設定された所定の強度とを比較するための回路を有する無線受信モジュール７２を備える。そして、受信した監視信号の電波の強度が所定の強度よりも大きいときに限り、電波を復調して信号受信部７０により監視信号を受信する。この場合、受信した監視信号の電波の強度が所定の強度以下のときにはリモコン側制御部５３への監視信号の伝達がなされないため、リモコン側制御部５３は、監視信号の電波の強度が所定の強度以下である状態が所定時間以上にわたり継続されることによっても、報知部８０を動作させるための制御信号を報知部８０に出力する。
【００７１】
このような構成によれば、リモコン装置５０がテレビ受信機２０からの監視信号を受信することが可能な位置にあるものの、この受信した監視信号の電波の強度が所定の強度以下となる位置にある時点で報知動作を行わせることが可能となる。即ち、所定の強度の調整を通じて、ユーザに対して報知動作が行われる範囲を調整することが可能となるため、例えばこの範囲を拡張することにより、ユーザがリモコン装置５０を見失うおそれのあるときに、その旨をユーザに報知することができる。
【００７２】
・上記各実施形態において、報知部８０による報知動作として音を発生させる動作を採用したが、これ以外に、例えば振動や光の発生を報知動作として採用することもできる。さらには、音及び振動及び光の発生を適宜組み合わせ、これを報知動作として採用することもできる。
【００７３】
・上記各実施形態においては、テレビ受信機２０が受信するテレビ放送は、地上デジタルテレビ放送であったが、地上デジタルテレビ放送以外の放送、例えばＢＳ放送等の衛星放送であってもよい。またあるいは、地上アナログテレビ放送であってもよい。この場合、信号処理部２２は、ＭＰＥＧ−２  ＴＳ形式のデータを抽出する伝送路復号化処理や、ＭＰＥＧ−２  Ｓｙｓｔｅｍｓに準拠して多重化されているデータの多重分離処理や、ＭＰＥＧ−２  Ｖｉｄｅｏ方式またはＭＰＥＧ−２  ＡＡＣ方式により圧縮符号化されているデータの復号化処理を行う必要はない。
【００７４】
・上記各実施形態では、本発明をテレビ受信装置１０に適用した場合について説明したが、その他の電子機器、例えばオーディオ・ビジュアル機器またはエアコンまたはカーナビゲーション装置についても上記実施形態に準じた態様をもって本発明を適用することはできる。要するに、遠隔操作のための操作信号を送信する操作装置と、操作信号の受信に基づいて動作をする本体装置とについて、これらが各別に形成された電子機器であればいずれについても本発明を適用することは可能であり、その場合にも上記実施形態に準じた作用効果を奏することはできる。
【図面の簡単な説明】
【００７５】
【図１】本発明の電子機器を具体化した第１の実施形態について、同電子機器としてのテレビ受信装置の構成を示すブロック図。
【図２】（ａ）同実施形態の報知信号の送信について、その一例を示すタイミングチャート。（ｂ）同実施形態の監視信号の送信について、その一例を示すタイミングチャート。
【図３】同実施形態のリモコン装置について、その外観を示す平面図。
【図４】同実施形態のテレビ受信装置によるリモコン装置の探索動作の流れを示すフローチャート。
【図５】同実施形態のテレビ受信装置によるリモコン装置の監視動作の流れを示すフローチャート。
【図６】本発明の電子機器を具体化した第２の実施形態について、同電子機器としてのテレビ受信装置の構成を示すブロック図。
【図７】（ａ）同実施形態の監視信号の送信について、その一例を示すタイミングチャート。（ｂ）同実施形態の報知信号及び監視信号の送信について、その一例を示すタイミングチャート。
【符号の説明】
【００７６】
１０…テレビ受信装置（電子機器）、２０…テレビ受信機（本体装置）、２１…チューナー、２２…信号処理部、２３…出力部、２４…本体側操作部（本体入力部）、２５…リモコン信号受信部（本体受信部）、３０…本体側制御部（本体制御部）、３１…リモコン信号検出部、３２…出力制御部、３３…無線送信制御部、４０…信号送信部（本体送信部）、４１…第１アンテナ、４２…第１無線送信モジュール、４３…第２アンテナ、４４…第２無線送信モジュール、４６…アンテナ、４７…無線送信モジュール、５０…リモコン装置（操作装置）、５１…無線受信制御部、５２…計時部、５３…リモコン側制御部、５４…リモコン信号送信部（操作送信部）、６０…リモコン側操作部（操作入力部）、６１…電源ボタン、６２…数字ボタン、６３…チャンネルボタン、６４…音量ボタン、７０…信号受信部（操作受信部）、７１…アンテナ、７２…無線受信モジュール、８０…報知部（操作報知部）、９０…アンテナ。
【図１】
2010028732.tif 000003
【図２】
2010028732.tif 000004
【図３】
2010028732.tif 000005
【図４】
2010028732.tif 000006
【図５】
2010028732.tif 000007
【図６】
2010028732.tif 000008
【図７】
2010028732.tif 000009